(57)【要約】【課題】ソーラーパネルによる大規模発電と、休耕地の再利用を図る。【解決手段】金属製の床梁に立設した支柱で、屋根梁と、その上のパネル梁を支持して構築した長尺の枠体からなる植物栽培装置であって、（i-1）上記枠体の片側に通路を設け、（i-2）上記枠体の一方の片側に、植物を栽培する栽培棚を、床梁と屋根梁の間に設け、さらに、（ii）パネル梁に、ソーラーパネルを千鳥状に配置したことを特徴とするソーラーパネルを備える植物栽培装置を縦横に連接して構成した発電ファーム。【選択図】図１
2013243938.tif 000002
【特許請求の範囲】
【請求項１】
金属製の床梁に立設した支柱で、屋根梁と、その上のパネル梁を支持して構築した長尺の枠体からなる植物栽培装置であって、
（i-1）上記枠体の片側に通路を設け、
（i-2）上記枠体の一方の片側に、植物を栽培する栽培棚を、床梁と屋根梁の間に設け、さらに、
（ii）パネル梁に、ソーラーパネルを千鳥状に配置した
ことを特徴とするソーラーパネルを備える植物栽培装置。
【請求項２】
前記栽培棚の上部の屋根梁に断熱屋根パネルを配設したことを特徴とする請求項１に記載のソーラーパネルを備える植物栽培装置。
【請求項３】
前記栽培棚の周囲を断熱パネルで包囲したことを特徴とする請求項１又は２に記載のソーラーパネルを備える植物栽培装置。
【請求項４】
前記栽培棚の上部空間に照明装置を配設したことを特徴とする請求項１〜３のいずれか１項に記載のソーラーパネルを備える植物栽培装置。
【請求項５】
前記栽培棚がウッドデッキであることを特徴とする請求項１〜４のいずれか１項に記載のソーラーパネルを備える植物栽培装置。
【請求項６】
請求項１〜５のいずれか１項に記載のソーラーパネルを備える植物栽培装置を縦横に連接して構成したことを特徴とする発電ファーム。
【請求項７】
前記植物栽培装置が空調装置を備えることを特徴とする請求項６に記載の発電ファーム。
【請求項８】
請求項６又７に記載の発電ファームが管理棟及び／又は播種・育種棟を備えることを特徴とする発電ファーム。
【発明の詳細な説明】
【技術分野】
【０００１】
本発明は、ソーラーパネルを備える植物栽培装置と、該装置からなる発電ファームに関するものである。
【背景技術】
【０００２】
近年、太陽光発電が注目されているが、電力需要を賄うには、多量のソーラーパネルと、それを設置するに足る広い敷地が必要である。しかし、現状で、広い敷地を確保するのは容易でない。一方、農業人口の減少により、休耕地が増加していて、この休耕地の再利用が求められている。（非特許文献１参照）
【先行技術文献】
【非特許文献】
【０００３】
【非特許文献１】地域資源利用産業創出緊急対策事業（太陽光パネル緊急導入事業）（農林水産省ホームページ）
【発明の概要】
【発明が解決しようとする課題】
【０００４】
本発明は、上記現状に鑑み、ソーラーパネルによる大規模発電と、休耕地の再利用を図ることを課題とし、該課題を解決する手段を提供することを目的とする。
【課題を解決するための手段】
【０００５】
本発明者らは、上記課題を解決する手段について鋭意検討した。その結果、本発明者らは、休耕地に、ソーラーパネルを備える植物栽培装置を設けることを発想した。
本発明は、上記発想に基づいてなされたもので、その要旨は以下のとおりである。
【０００６】
（１）
金属製の床梁に立設した支柱で、屋根梁と、その上のパネル梁を支持して構築した長尺の枠体からなる植物栽培装置であって、
（i-1）上記枠体の片側に通路を設け、
（i-2）上記枠体の一方の片側に、植物を栽培する栽培棚を、床梁と屋根梁の間に設け、さらに、
（ii）パネル梁に、ソーラーパネルを千鳥状に配置した
ことを特徴とするソーラーパネルを備える植物栽培装置。
（２）
前記栽培棚の上部の屋根梁に断熱屋根パネルを配設したことを特徴とする（１）のソーラーパネルを備える植物栽培装置。
（３）
前記栽培棚の周囲を断熱パネルで包囲したことを特徴とする（１）又は（２）のソーラーパネルを備える植物栽培装置。
（４）
前記栽培棚の上部空間に照明装置を配設したことを特徴とする（１）〜（３）のいずれかのソーラーパネルを備える植物栽培装置。
（５）
前記栽培棚がウッドデッキであることを特徴とする（１）〜（４）のいずれかのソーラーパネルを備える植物栽培装置。
（６）
（１）〜（５）のいずれかのソーラーパネルを備える植物栽培装置を縦横に連接して構成したことを特徴とする発電ファーム。
（７）
前記植物栽培装置が空調装置を備えることを特徴とする（６）の発電ファーム。
（８）
（６）又は（７）の発電ファームが管理棟及び／又は播種・育種棟を備えることを特徴とする発電ファーム。
【発明の効果】
【０００７】
本発明によれば、太陽光と、太陽光で発電した電力を利用して植物を栽培するので、栽培コストが大幅に低下し、収益が大幅に向上する。
【図面の簡単な説明】
【０００８】
【図１】本発明を構成するソーラーパネルを備える植物栽培装置の基本構造を示す図である。
【図２】図１に示す植物栽培装置を並列に配置した場合の正面態様を示す図である。
【図３】図１に示す植物栽培装置を並列に配置した場合の側面態様を示す図である。
【図４】栽培棚に栽培ラックを載置した場合の正面態様を示す図である。
【図５】栽培棚に栽培ラックを載置した場合の側面態様を示す図である。
【図６】ソーラーパネルを備える植物栽培装置を多数、縦横に連接して構成した発電ファームの一態様を示す図である。
【図７】空調装置を備えた発電ファームの一態様を示す図である。
【発明を実施するための形態】
【０００９】
まず、本発明の発電ファーム（以下「本発明ファーム」ということがある。）を構成するソーラーパネルを備える植物栽培装置（以下「本発明装置」ということがある。）について、図面に基づいて説明する。
【００１０】
図１に、本発明栽培装置の基本構造を示す。直角をなす床梁１ａ、１ｂのそれぞれに複数本の支柱３が立設され、支柱３が、屋根梁２ａ、２ｂと、その上のパネル梁３ａ、３ｂを支え、長尺の枠体が構築されている。この枠体が、本発明栽培装置の基本骨格となる。
上記枠体の片側には、栽培管理人が往来する通路８が設けられている。そして、上記枠体の一方の片側には、植物を栽培する栽培棚４が、床梁１ａ、１ｂと屋根梁２ａ、２ｂの間に設けられている。栽培棚４の位置は特に限定されない。栽培する植物の背丈や、栽培管理の容易性を考慮して適宜設定する。
【００１１】
パネル梁３ａ、３ｂには、太陽光発電を行なうソーラーパネル７が千鳥状に配置されている。ソーラーパネル７を千鳥状に配置して、植物栽培に、ハウス培栽と異なり、太陽光（自然光）を利用する。
【００１２】
栽培棚４の上部の屋根梁２ａ、２ｂには、断熱屋根パネル６が配設され、栽培棚４上部空間の保温がなされている。また、栽培棚４の周囲を断熱パネル５で包囲して、同様に、栽培棚４上部空間の保温がなされている。断熱パネル５による包囲や、断熱屋根パネル６の配設は、必要に応じて行なう。
【００１３】
図２に、本発明装置を並列に配置した場合の正面態様を示し、図３に、同側面態様を示す。地中に埋設した基礎杭３’の上に本発明装置が構築されている。栽培棚４がウッドデッキ４ａで構成されている。
【００１４】
図４に、栽培棚４に、植物を植えた栽培ラック４ｂを載置した場合の正面態様を示し、図５に、同側面態様を示す図である。図４及び図５に示す態様においては、栽培棚４の上部空間に、植物育成用の照明装置４ｃが配設されている。照明装置は例えば蛍光灯、LED照明等を使用することができる。
【００１５】
図６に、本発明装置を多数、縦横に連接して構成した本発明の発電ファーム（以下「本発明ファーム」ということがある。）の一態様を示す。本発明ファームは、敷地の広さを最大限利用して構成することができる。本発明ファームには、必要に応じ、管理棟及び／又は播種・育種棟を設けてもよい。
【００１６】
図７に、空調装置１１を備えた本発明ファームの一態様を示す。本発明装置に空調装置１１を備えることにより栽培棚の栽培環境を最適に維持することができる。空調装置１１は、地中の熱を回収して行なうものが好ましい。
【産業上の利用可能性】
【００１７】
前述したように、本発明によれば、太陽光と、太陽光で発電した電力を利用して植物を栽培するので、栽培コストが大幅に低下し、収益が大幅に向上する。よって、本発明は、発電産業及び栽培産業において利用可能性が高いものである。
【符号の説明】
【００１８】
１ａ、１ｂ    床梁
２ａ、２ｂ    屋根梁
３ａ、３ｂ    パネル梁
３    支柱
３’    基礎杭
４    栽培棚
４ａ    ウッドデッキ
４ｂ    栽培ラック
４ｃ    照明装置
５    断熱パネル
６    断熱屋根パネル
７    ソーラーパネル
８    通路
９    管理棟
１０    播種・育種棟
１１    空調装置
【図１】
2013243938.tif 000003
【図２】
2013243938.tif 000004
【図３】
2013243938.tif 000005
【図４】
2013243938.tif 000006
【図５】
2013243938.tif 000007
【図６】
2013243938.tif 000008
【図７】
2013243938.tif 000009